【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
無線通信の方法において、
複数のデバイスの各々が他の複数のデバイスの各送信と少なくとも部分的に同時にパケットを送信するように指示するメッセージを、ワイヤレスデバイスにおいて受信することと、
前記パケットの送信に関連する時間よりも大きな値を有するインジケータを備える前記パケットを生成することと、
送信のために前記パケットを提供することと、
前記インジケータにおいて示される時間の間に前記パケットの受信に関するアクノレジメントを受信することと、前記値は、少なくとも前記アクノレジメントの送信時間だけ前記パケットの前記送信に関連する前記時間より大きい、
を備える、方法。
【請求項２】
前記パケットの前記送信に関連する前記時間は、前記パケットの時間期間を備える、請求項１の方法。
【請求項３】
前記パケットを送信するように前記複数のデバイスの各々に指示する前記メッセージは、前記ワイヤレスデバイスの識別子を備えるclear-to-sendフレームを備える、請求項１の方法。
【請求項４】
前記パケットを送信するように前記複数のデバイスの各々に指示する前記メッセージは、時間期間の表示を備え、前記方法はさらに、前記時間期間の前記表示に基づいた前記値を有する前記インジケータを提供することをさらに備える、請求項１の方法。
【請求項５】
前記パケットを送信するように前記複数のデバイスの各々に指示する前記メッセージは、アクノレジメントの送信に関連する時間を示す時間期間の表示を備え、前記方法はさらに、前記時間期間の前記表示に基づいた前記値を有する前記インジケータを提供することをさらに備える、請求項１の方法。
【請求項６】
前記パケットを送信するように前記複数のデバイスの各々に指示する前記メッセージは、パケット送信時間命令を備え、前記方法は、前記パケット送信時間命令により示される時間期間の間に送信のために前記パケットを提供することをさらに備える、請求項１の方法。
【請求項７】
前記パケットは、マルチ入力マルチ出力フレーム、または、直交周波数分割多元接続フレームを備える、請求項１の方法。
【請求項８】
無線通信に関する装置において、
複数のデバイスの各々が他の複数のデバイスの各送信と少なくとも部分的に同時にパケットを送信するように指示するメッセージを、ワイヤレスデバイスにおいて受信する手段と、
前記パケットの送信に関連する時間よりも大きな値を有するインジケータを備える前記パケットを生成する手段と、
送信のために前記パケットを提供する手段と、
前記インジケータにおいて示される時間の間に前記パケットの受信に関するアクノレジメントを受信する手段と、前記値は、少なくとも前記アクノレジメントの送信時間だけ前記パケットの前記送信に関連する前記時間より大きい、
を備える、装置。
【請求項９】
前記パケットの前記送信に関連する前記時間は、前記パケットの時間期間を備える、請求項８の装置。
【請求項１０】
前記パケットを送信するように前記複数のデバイスの各々に指示する前記メッセージは、前記ワイヤレスデバイスの識別子を備えるclear-to-sendフレームを備える、請求項８の装置。
【請求項１１】
前記パケットを送信するように前記複数のデバイスの各々に指示する前記メッセージは、時間期間の表示を備え、前記装置はさらに、前記時間期間の前記表示に基づいた前記値を有する前記インジケータを提供する手段をさらに備える、請求項８の装置。
【請求項１２】
前記パケットを送信するように前記複数のデバイスの各々に指示する前記メッセージは、アクノレジメントの送信に関連する時間を示す時間期間の表示を備え、前記インジケータの前記値は前記時間期間の前記表示に基づく、請求項８の装置。
【請求項１３】
前記パケットを送信するように前記複数のデバイスの各々に指示する前記メッセージは、パケット送信時間命令を備え、前記装置は、前記パケット送信時間命令により示される時間期間の間に送信のために前記パケットを提供する手段をさらに備える、請求項８の装置。
【請求項１４】
前記パケットは、マルチ入力マルチ出力フレーム、または、直交周波数分割多元接続フレームを備える、請求項８の装置。
【請求項１５】
１つまたは複数のプロセッサ上で実行されると、請求項１〜請求項７のうちのいずれか一項に記載の方法を実行するための命令を備える、コンピュータプログラム。
【手続補正２】
【補正対象書類名】明細書
【補正対象項目名】０１０８
【補正方法】変更
【補正の内容】
【０１０８】
[00107]前述の内容が本開示の態様に向けられる一方、本開示の他のおよびさらなる態様は、その基本的な範囲から逸脱することなく考案されることがあり得、その範囲は、次の特許請求の範囲によって決定される。
以下に本願の出願当初の特許請求の範囲に記載された発明を付記する。
[Ｃ１]
無線通信に関する装置であって、
複数のデバイスの各々が、他の複数のデバイスの各送信と少なくとも部分的に同時にパケットを送信することを指示するメッセージを受信し、前記パケットの送信に関連する時間より大きな値を有するインジケータを備えたパケットを生成する、ように構成された処理システムと、および
送信に関するパケットを提供するように構成されたインタフェースと、を備えた、装置。
[Ｃ２]  前記パケットの前記送信に関連する前記時間は、前記パケットの時間期間を備える、Ｃ１の装置。
[Ｃ３]  前記処理システムは、前記インジケータの値によって示された時間期間の間に前記パケットの受信に関するアクノレジメントを受信するように構成される、Ｃ１の装置。
[Ｃ４]  前記パケットを送信するように前記複数のデバイスの各々を指示する前記メッセージは、前記装置の識別子を備えるclear-to-sendフレームを備える、Ｃ１の装置。
[Ｃ５]  前記パケットを送信するように前記複数のデバイスの各々を指示する前記メッセージは、時間期間の表示を備え、前記インジケータの値は、前記時間期間の表示に基づく、Ｃ１の装置。
[Ｃ６]  前記パケットを送信するように前記複数のデバイスの各々を指示する前記メッセージは、アクノレジメントの送信に関連する時間を示す時間期間の表示を備え、前記インジケータの値は、前記時間期間の表示に基づく、Ｃ１の装置。
[Ｃ７]  前記パケットを送信するように前記複数のデバイスの各々を指示するメッセージは、パケット送信時間時間命令を備え、前記インタフェースースは、前記パケット送信時間命令により示された時間期間に前記送信に関するパケットを提供するように構成される、Ｃ１の装置。
[Ｃ８]  前記パケットは、マルチ入力マルチ出力フレームまたは直交周波数分割多元接続フレームを備える、Ｃ１の装置。
[Ｃ９]  前記パケットは、前記インジケータを備えるシングルユーザ部を備え、前記シングルユーザ部は、802.11aまたは802.11bプリアンブルフォーマットと互換性がある、Ｃ１の装置。
[Ｃ１０]  前記パケットは、パケット送信時間の表示を有さないマルチユーザ部を備える、Ｃ１の装置。
[Ｃ１１]  前記パケットは、前記複数のデバイスの１つにより送信されたパケットに同一の部分を備え、前記部分は前記インジケータを備える、Ｃ１の装置。
[Ｃ１２]  無線通信の方法において、
複数のデバイスの各々が、前記他の複数のデバイスの各々と少なくとも部分的に同時に送信するように指示するメッセージをワイヤレスデバイスにおいて受信することと、
前記パケットの送信に関連する時間よりも大きな値を有するインジケータを備えるパケットを生成することと、
前記送信に関するパケットを提供することと、を備える、方法。
[Ｃ１３]  前記パケットの前記送信に関連する前記時間は、前記パケットの時間期間を備える、Ｃ１２の方法。
[Ｃ１４]  前記インジケータ内に示される時間の期間に前記パケットの受信に関するアクノレメントを受信することをさらに備え、前記値は、前記少なくとも前記アクノレジメントの送信時間だけ前記パケットの送信に関連する時間より大きな値である、Ｃ１２の方法。
[Ｃ１５]  前記パケットを送信するように前記複数のデバイスの各々を指示する前記メッセージは前記ワイヤレスデバイスの識別子を備えるclear-to-sendフレームを備える、Ｃ１２の方法。
[Ｃ１６]  前記パケットを送信するように前記複数のデバイスの各々に指示する前記メッセージは、時間期間の表示を備え、前記方法はさらに、前記時間期間の表示にもとづいた前記値を有する前記インジケータを提供することをさらに備える、Ｃ１２の方法。
[Ｃ１７]  前記パケットを送信するように前記複数のデバイスの各々を指示する前記メッセージは、アクノレジメントの送信に関連する時間を示す時間期間の表示を備え、前記方法はさらに前記時間期間の表示に基づいた前記値を有するインジケータを提供することをさらに備える、Ｃ１２の方法。
[Ｃ１８]  前記パケットを送信するように前記複数のデバイスの各々を指示する前記メッセージは、パケット送信時間命令を備え、前記方法は、前記パケット送信時間命令により示される時間期間の間に前記送信に関するパケットを提供することをさらに備える、Ｃ１２の方法。
[Ｃ１９]  前記パケットは、マルチ入力マルチ出力フレームまたは、直交周波数分割多元接続フレームを備える、Ｃ１２の方法。
[Ｃ２０]  前記パケットは、前記インジケータを備えるシングルユーザ部を備え、前記シングルユーザ部は802.11aまたは802.11bプリアンブルフォーマットと互換性がある、Ｃ１２の方法。
[Ｃ２１]  前記パケットはパケット送信時間の表示を有さないマルチユーザ部を備える、Ｃ１２の方法。
[Ｃ２２]  前記パケットは、前記複数のデバイスの１つにより送信されたパケットと同一の部分を備え、前記部分は前記インジケータを備える、Ｃ１２の方法。
[Ｃ２３]  無線通信のために構成された装置において、
アンテナと、
複数のデバイスの各々が前記他の複数のデバイスの各送信と少なくとも部分的に同時に送信するように指示するメッセージを受信し、
前記パケットの送信に関連する時間より大きな値を有するインジケータを備える前記パケットを生成する、ように構成された処理システムと、および
前記アンテナを介して前記送信に関するパケットを提供するように構成されるインタフェースと、を備える無線通信に関する無線ノード。
[Ｃ２４]  無線通信に関する装置において、
複数のデバイスの各々が、前記他の複数のデバイスの各送信と少なくとも部分的に同時にパケットを送信するように指示するメッセージをワイヤレスデバイスにおいて受信する手段と、
前記パケットの送信に関連する時間よりも大きな値を有するインジケータを備える前記パケットを生成する手段と、および
前記送信に関するパケットを提供する手段と、を備える装置。
[Ｃ２５]  前記パケットの前記送信に関する前記時間は、前記パケットの時間期間を備える、Ｃ２４の装置。
[Ｃ２６]  前記インジケータ内に示される時間の期間に前記パケットの受信に関するアクノレメントを受信する手段をさらに備え、前記値は、少なくとも前記アクノレジメントの送信時間だけ前記パケットの前記送信に関連する時間より大きな値である、Ｃ２４の装置。
[Ｃ２７]  前記パケットを送信するように前記複数のデバイスの各々に指示する前記メッセージは前記ワイヤレスデバイスの識別子を備えるclear-to-sendフレームを備える、Ｃ２４の装置。
[Ｃ２８]  前記パケットを送信するように前記複数のデバイスの各々に指示する前記メッセージは、時間期間の表示を備え、前記装置はさらに、前記時間期間の前記表示にもとづいた前記値を有する前記インジケータを提供する手段をさらに備える、Ｃ２４の装置。
[Ｃ２９]  前記パケットを送信するように前記複数のデバイスの各々に指示する前記メッセージは、アクノレジメントの送信に関連する時間を示す時間期間の表示を備え、前記インジケータの値は前記時間期間の表示に基づく、Ｃ２４の装置。
[Ｃ３０]  前記パケットを送信するように前記複数のデバイスの各々に指示する前記メッセージは、パケット送信時間命令を備え、前記装置は、前記パケット送信時間命令により示される時間期間の間前記送信に関するパケットを提供する手段をさらに備える、Ｃ２４の装置。
[Ｃ３１]  前記パケットは、マルチ入力マルチ出力フレームまたは、直交周波数分割多元接続フレームを備える、Ｃ２４の装置。
[Ｃ３２]  前記パケットは、前記インジケータを備えるシングルユーザ部を備え、前記シングルユーザ部は802.11aまたは802.11bプリアンブルフォーマットと互換性がある、Ｃ２４の装置。
[Ｃ３３]  前記パケットは、パケット送信時間の表示を有さないマルチユーザ部を備える、Ｃ２４の装置。
[Ｃ３４]  前記パケットは、前記複数のデバイスの１つにより送信されたパケットに同一の部分を備え、前記部分は前記インジケータを備える、Ｃ２４の装置。
[Ｃ３５]  実行されると、装置に無線通信の方法を実行させる命令を用いて符号化されたコンピュータ読取可能媒体において、前記方法は、
複数のデバイスの各々が前記他の複数のデバイスの各送信に少なくとも部分的に同時にパケットを送信するように指示するメッセージを受信することと、
前記パケットの送信に関連する時間より大きな値を有するインジケータを備える前記パケットを生成することと、および
送信用パケットを提供することと、を備える、コンピュータ読取可能媒体。